(57)【要約】【課題】戸袋内部に溜まったごみ等を戸袋外部に排出することができる開閉体用戸袋の掃除口構造を提供すること。【解決手段】開閉移動する開閉体となっている引戸が開き移動したときに収納される戸袋７には、この戸袋７の内外を連通させて形成された掃除口３０が形成されており、戸袋７を内部に収納していて掃除口３０が形成されている壁は、戸袋７を補強するための補強部材２１を含んで形成され、この補強部材２１は上下に間隔をあけて複数設けられ、掃除口３０は、これらの補強部材２１のうち、上下に間隔をあけて互いに隣接している２個の補強部材２１の間の空間に形成されている。【選択図】図３
2010159630.tif 000002
【特許請求の範囲】
【請求項１】
開閉移動する開閉体が開き移動したときに収納される戸袋に、この戸袋の内外を連通させて形成された掃除口が設けられている開閉体用戸袋の掃除口構造において、
前記戸袋を内部に収納していて前記掃除口が形成されている壁は、前記戸袋を補強するための補強部材を含んで形成され、この補強部材は上下に間隔をあけて複数設けられており、前記掃除口は、これらの補強部材のうち、上下に間隔をあけて互いに隣接している２個の補強部材の間の空間に形成されていることを特徴とする前記開閉体用戸袋の掃除口構造。
【請求項２】
請求項１に記載の開閉体用戸袋の掃除口構造において、前記補強部材は３個以上あり、前記２個の補強部材は、最下位の補強部材と、最下位から２番目の補強部材とであることを特徴とする開閉体用戸袋の掃除口構造。
【請求項３】
請求項１又は２に記載の開閉体用戸袋の掃除口構造において、前記空間は、前記戸袋の左右方向の全幅又は略全幅に渡る長さを有し、前記掃除口は、前記空間の全長又は略全長に渡る左右方向の長さを有していることを特徴とする開閉体用戸袋の掃除口構造。
【請求項４】
請求項１〜３のいずれかに記載の開閉体用戸袋の掃除口構造において、前記掃除口は、前記２個の補強部材と、これらの補強部材に結合された四角形の枠部材とを含んで形成され、この枠部材の内側開口部が前記掃除口となっていることを特徴とする開閉体用戸袋の掃除口構造。
【請求項５】
請求項１〜４のいずれかに記載の開閉体用戸袋の掃除口構造において、それぞれの前記補強部材は断面ハット形状となっていることを特徴とする開閉体用戸袋の掃除口構造。
【請求項６】
請求項５に記載の開閉体用戸袋の掃除口構造において、前記断面ハット形状となっているそれぞれの前記補強部材は、前記戸袋の外側へ突出形成された上下中間部と、この上下中間部よりも前記戸袋の内側に位置し、上下方向への延出長さを有する上部及び下部と、前記上下中間部と前記上部を連結する水平又は略水平の上連結部と、前記上下中間部と前記下部を連結する水平又は略水平の下連結部とからなることを特徴とする開閉体用戸袋の掃除口構造。
【請求項７】
請求項１〜３のいずれかに記載の開閉体用戸袋の掃除口構造において、前記掃除口は、前記２個の補強部材と、これらの補強部材に結合された四角形の枠部材とを含んで形成され、この枠部材の内側開口部が前記掃除口となっており、
それぞれの前記補強部材は、前記戸袋の外側へ突出形成された上下中間部と、この上下中間部よりも前記戸袋の内側に位置し、上下方向への延出長さを有する上部及び下部と、前記上下中間部と前記上部を連結する水平又は略水平の上連結部と、前記上下中間部と前記下部を連結する水平又は略水平の下連結部とからなる断面ハット形状となっており、
前記枠部材は、前記上連結部及び前記下連結部の位置から前記戸袋の外側へ前記上下中間部を越えた位置まで達する厚さ寸法を有していることを特徴とする開閉体用戸袋の掃除口構造。
【請求項８】
請求項７に記載の開閉体用戸袋の掃除口構造において、前記壁は、前記上下中間部における前記戸袋の外側の面に配置された外側壁ボードと、この外側壁ボードよりも前記戸袋の内側に配置された内側壁ボードとを含んで形成されており、
前記外側壁ボードの外表面の位置は、前記枠部材の外表面の位置と対応していることを特徴とする開閉体用戸袋の掃除口構造。
【発明の詳細な説明】
【技術分野】
【０００１】
本発明は、開閉体を収納するための戸袋に設けられる掃除口の構造に係り、例えば、上吊り式を含めた引戸や移動間仕切りパネル等の開閉体を収納するための戸袋に利用することができるものである。
【背景技術】
【０００２】
下記の特許文献１には、開閉移動する開閉体である上吊り式の引戸が開き移動したときに収納される戸袋に、この戸袋の内外を連通させる掃除口を設け、この掃除口により、戸袋の内部に溜まるごみや塵埃等を排出できるようにした引戸装置が示されている。そして、この特許文献１では、掃除口が常時開口していると、戸袋外部のごみ等が戸袋内部に侵入するおそれがあるため、掃除口は蓋で開閉可能となっており、この蓋は、掃除口にスライド自在に配置されたスライド式や、ヒンジを中心に回動する回動式となっている。
【先行技術文献】
【特許文献】
【０００３】
【特許文献１】特開２００１−３６５９号公報
【発明の概要】
【発明が解決しようとする課題】
【０００４】
掃除口に蓋を設けることは、上述のように戸袋外部のごみ等が戸袋内部に侵入するのを防止できるため、有効であるが、戸袋内部に溜まったごみ等を戸袋外部に排出するときには、この排出作業を容易に行えるようにするために、蓋に影響されずに掃除口の大きな開口面積を確保できるようにすることが求められる。
【０００５】
本発明の目的は、掃除口が蓋で開閉されるものになっていても、戸袋内部に溜まったごみ等を戸袋外部に排出する作業時等のときには、蓋に影響されずに掃除口の大きな開口面積を確保できるようになる開閉体用戸袋の掃除口構造を提供するところにある。
【課題を解決するための手段】
【０００６】
本発明に係る開閉体用戸袋の掃除口構造は、開閉移動する開閉体が開き移動したときに収納される戸袋に、この戸袋の内外を連通させて形成された掃除口と、この掃除口を開閉するための蓋と、を含んで構成されている開閉体用戸袋の掃除口構造において、前記蓋が前記掃除口に対して取り外し可能となっていることを特徴とするものである。
【０００７】
本発明では、掃除口を開閉する蓋は掃除口に対して取り外し可能となっているため、言い換えると、蓋は掃除口に対して着脱可能となっているため、通常時の掃除口を蓋で閉じておくことにより、戸袋外部のごみ等が戸袋内部に侵入するのを防止できるとともに、戸袋内部に溜まったごみ等を戸袋外部に排出する作業等を行うときには、蓋を掃除口から取り外すことにより、蓋で塞がれていた掃除口の本来の大きな開口面積を蓋に影響されずに確保できるようになり、これにより、上記作業等を容易に行えるようになる。
【０００８】
本発明において、掃除口を蓋で閉じたときにおけるこの蓋の戸袋の外面に対する配置位置は、任意である。その一例は、掃除口を閉じたときの蓋の配置位置を、戸袋の外面と面一の位置又はこの外面から戸袋の内側へずれた位置とすることである。
【０００９】
これによると、戸袋の外面が廊下や室内空間等を形成したり、廊下や室内空間に露出する構成となっていても、廊下を歩行する者や室内にいる者等にとって蓋が障害とならず、その廊下や室内空間の使い勝手が良くなる。
【００１０】
また、本発明において、蓋は、掃除口に対して取り外し可能であれば、掃除口に対して任意な止着手段で止着状態にできるようにしてもよく、その止着手段の個数も任意である。止着手段は、例えば、係止式のものでもよく、マグネット式のものでもよく、真空吸着式のものでもよく、フック式のものでもよく、係合式のものでもよく、ビス等の止め具を用いたものでもよく、これらのうちの少なくとも２個が複合されたもの等でもよい。
【００１１】
そして、止着手段を複数個とする場合には、全部の止着手段を同じ種類のものとしてもよく、全部の止着手段のうち、１個又は複数個を異なる種類の止着手段としてもよい。
【００１２】
また、蓋を掃除口に１個又は複数個の止着手段で止着状態とする場合には、この１個又は複数個の止着手段に、蓋を掃除口に係止する係止式止着手段を含ませておくことが好ましい。
【００１３】
これによると、係止式止着手段によって蓋を掃除口に一層確実に止着することができる。
【００１４】
そして、係止式止着手段が、掃除口を形成する掃除口形成部材と蓋とのうちの一方に設けられた突片部等による係止部と、他方に設けられ、係止部が遊合状態又は密入状態等で挿入される孔や凹部等による被係止部とを含んで構成される場合には、この係止式止着手段に、蓋が掃除口を閉じたときに圧縮され、この圧縮による反発弾性力により、被係止部に遊合状態で挿入された係止部を被係止部の縁部に押圧するための弾性部材を設けることが好ましい。
【００１５】
これによると、係止部が被係止部に遊合状態で挿入されても、蓋で掃除口が閉じられたときに弾性部材は圧縮され、この圧縮による反発弾性力によって係止部は被係止部の縁部に押圧されるため、係止式止着手段にがたつきが発生することが防止され、蓋を掃除口に安定させて配置することができる。
【００１６】
なお、弾性部材を取り付ける部材は任意であり、弾性部材を、蓋を構成する部材に取り付けてもよく、掃除口を形成する部材に取り付けてもよい。
【００１７】
また、本発明において、開閉体を収納する戸袋の構造は任意であり、例えば、外枠だけを構造材とする構造のものでもよく、外枠と補強部材が構造材となっている構造のもの等でもよい。
【００１８】
戸袋が補強部材を含んで形成されている場合には、この補強部材に掃除口用の開口部を形成することによって掃除口を補強部材に形成してもよく、また、補強部材が複数あり、これらの補強部材の間が空間になっている場合には、この空間の少なくとも一部に掃除口を形成してもよい。
【００１９】
後者によると、複数の補強部材の間の空間の少なくとも一部が掃除口として利用されるため、補強部材に掃除口用の開口部を特別に形成する必要がなく、したがって、戸袋に掃除口を設けることを容易に行え、また、補強部材に掃除口用の開口部を形成する必要がないため、補強部材の本来の強度をそのまま確保することができる。
【００２０】
また、上記空間の大きさは任意であり、この空間が戸袋の左右方向の全幅又は略全幅に渡る長さを有するものになっている場合には、掃除口は、この空間の全長又は略全長に渡る左右方向の長さを有するものとすることが好ましい。
【００２１】
これによると、掃除口は、戸袋の左右方向の全幅又は略全幅に渡る長さを有するものになり、大きな長さを有するため、戸袋の全幅又は略全幅に渡って戸袋内部を一層容易に掃除することが可能となる。
【００２２】
また、上述のように、戸袋が複数の補強部材を含んで形成され、これらの補強部材の間の空間に掃除口を形成する場合には、掃除口を、この掃除口の輪郭を形成する枠部材を含んで形成し、この枠部材と、上記空間を形成する複数の前記補強部材とを、戸袋の完成前に予め結合しておくことが好ましい。
【００２３】
これによると、上記枠部材と、上記空間を形成する複数の前記補強部材とは、補強部材等によって戸袋が組立施工される現場へ搬入される前において、例えば、工場で予め結合されることになり、このため、上記枠部材と上記複数の補強部材とを予め結合一体化されたユニットの状態にして上記現場へ搬入することができるとともに、戸袋の組立施工作業もユニットの状態で行え、搬入作業や組立作業等の各種作業を容易に行えるようになる。
【００２４】
また、本発明において、戸袋の内部へ開閉体が侵入するのを阻止するための開閉体侵入阻止手段を設け、この開閉体侵入阻止手段を、蓋を掃除口から取り外す操作を行うことにより作動するように構成することが好ましい。
【００２５】
これによると、戸袋内部に溜まったごみ等を戸袋外部へ排出する作業等を行うために蓋を掃除口から取り外す作業を行うと、開閉体侵入阻止手段が作動し、これによって開閉体が戸袋の内部に侵入することが阻止されるため、戸袋内部での作業を開閉体に影響されることなく容易かつより確実に行えることになる。
【００２６】
蓋を掃除口から取り外す作業を行うことによって開閉体侵入阻止手段が作動するようにする構成は、任意な構造のものでよく、その一例は、前述のように係止式止着手段で蓋を掃除口に係止する構造とする場合には、蓋を掃除口から取り外して係止式止着手段による係止を解除すると、この係止式止着手段に組み込まれていたばね等の飛び出し部材が飛び出して開閉体侵入阻止手段が作動するようになっている構造であり、また、他の例は、蓋に、この蓋を掃除口から取り外すときに蓋の外側へ露出操作される取手部材が設けられている場合には、この取手部材を露出させる操作によって開閉体侵入阻止手段が作動するように構成されている構造である。
【００２７】
このように蓋に、この蓋を掃除口から取り外すときに蓋の外側へ露出操作される取手部材が設けられ、この取手部材の露出操作によって開閉体侵入阻止手段が作動するように構成する場合には、取手部材の露出操作は、上下や左右等の回動操作でもよく、すなわち、取手部材は上下や左右等に回動自在な回動型の取手部材でもよく、あるいは、前後等の引き出し型の取手部材等でもよく、任意な形式の露出操作型の取手部材でよい。また、露出操作によって蓋の外側へ露出するのは、取手部材の一部でもよく、取手部材の全部でもよい。
【００２８】
また、開閉体侵入阻止手段は、蓋を掃除口から取り外す作業を行うことによって作動するものではなく、蓋を掃除口から取り外すことにより、この掃除口から作動させる操作が可能となっているものでもよい。すなわち、蓋が取り外された掃除口から手や工具等を戸袋の内部に挿入することにより、この手や工具等によって開閉体侵入阻止手段を作動させることができるようにしてもよい。
【００２９】
以上のように、蓋を掃除口から取り外す作業を行うことによって作動する開閉体侵入阻止手段や、蓋が取り外された掃除口から作動させる操作が可能となる開閉体侵入阻止手段を設ける場合において、これらの開閉体侵入阻止手段は、戸袋の内部における戸袋の出入口の近くの位置又はこの位置を含む戸袋の内部の箇所に設けることが好ましい。これによると、開閉体の戸袋内部への侵入移動を、戸袋の内部における戸袋の出入口の近くで阻止することができる。
【００３０】
また、これらの開閉体侵入阻止手段は、手や工具等を用いてもとの状態に復旧させることができるものでもよく、蓋を掃除口に取り付けることにより、自動的にもとの状態に復旧するものでもよい。
【００３１】
また、前記開閉体に、この開閉体を戸袋の内部に収納されない全閉位置に施錠するための施錠装置を設ける場合には、この施錠装置を、掃除口が形成されている戸袋の面と同じ側となっている開閉体の面の側から手操作されるものとすることが好ましい。
【００３２】
これによると、戸袋内部に溜まっているごみ等を戸袋外部へ排出する作業等を行うために蓋を掃除口から取り外す作業を行うときには、掃除口が形成されている戸袋の面と同じ側となっている開閉体の面の側から施錠装置を手操作できるため、この施錠装置によって開閉体を全閉位置に容易に施錠することができ、あるいは、上記施錠装置によって開閉体が全閉位置に施錠されているか否かを容易に確認することができ、これにより、開閉体が戸袋の内部に侵入することを施錠装置で阻止しながら、戸袋内部のごみ等の排出作業等を行えるようになる。
【００３３】
このような施錠装置を開閉体に設ける場合において、この施錠装置は、掃除口が形成されている戸袋の面と同じ側となっている開閉体の面の側から手操作されるものである限り、例えば、鎌錠や南京錠等のように、開閉体の片面（掃除口が形成されている戸袋の面と同じ側となっている開閉体の面）の側に配設され、この片面の側に、手で回動操作等される操作部材が設けられるものでもよく、あるいは、シリンダ錠のように、開閉体の両方の面に貫通した状態で開閉体に取り付けられ、掃除口が形成されている戸袋の面と同じ側となっている開閉体の面の側に、回転等の容易に手操作される例えばサムターン等の操作部材が設けられ、反対側の面の側からは、キーの差込み及びキーの回動操作等の特別の操作を行えるものであって、この特別の操作を行うことによって開錠することができるものでもよい。
【００３４】
本発明において、掃除口及びこの掃除口を開閉する蓋の形状は任意であり、例えば、これらの掃除口及び蓋を左右方向である横方向に長い横長としてもよく、また、縦長としてもよく、円形としてもよく、逆Ｔ字形等の異形等としてもよい。
【００３５】
また、１個の掃除口に対して蓋を複数個とし、これらの蓋の１個又は複数を取り外すことにより、掃除口を部分的に開口できるようにしてもよい。
【００３６】
また、本発明において、蓋で開閉される掃除口は戸袋の厚さ方向の片側の面だけに設けてもよく、両方の面に設けてもよい。
【００３７】
さらに、戸袋に設ける掃除口の個数は１個でもよく、複数個でもよい。掃除口の個数を複数個とする場合には、取り外し可能な蓋で開閉される掃除口は、１個でもよく、複数個でもよい。さらに、複数個の掃除口に対して蓋を１個とし、この蓋を複数個の掃除口の共通の蓋としてもよい。
【００３８】
また、戸袋の厚さ方向両側のうちの少なくとも一方に、柱等の構造物躯体が戸袋に近接状態又は接続状態で配置される場合には、戸袋の厚さ方向両側に掃除口を設けるとともに、これらの掃除口を、構造物躯体を避けた位置であって戸袋の左右の幅方向にずれた位置に設けることが好ましい。
【００３９】
これによると、柱等の構造物躯体が戸袋に近接状態又は接続状態で戸袋の厚さ方向両側のうちの少なくとも一方に配置されていても、戸袋の厚さ方向両側に設けられる掃除口は、構造物躯体を避けた位置であって戸袋の左右の幅方向にずれた位置に配置されるため、構造物躯体に影響されることなく、戸袋の左右方向の長い領域に渡って戸袋内部からごみ等を排出する作業等を行えるようになる。
【００４０】
また、蓋には、この蓋を掃除口にロックするためのロック装置を設けてもよく、このように、蓋にロック装置を設ける場合には、このロック装置の操作される操作部材が、蓋を掃除口から取り外したり掃除口に蓋をセットするときに用いる取手部材を兼ねていてもよい。そして、この操作部材を操作することにより、前述した開閉体侵入阻止手段が作動するように構成してもよい。
【００４１】
以上説明した本発明は、上吊り式の引戸や上下のレールに案内されて移動する雨戸、門扉等の一般的な引戸のための戸袋に適用できるとともに、移動式の間仕切りパネルのための戸袋にも適用でき、さらには開き戸のための戸袋等にも適用でき、本発明は、任意な開閉体を収納するための戸袋に適用できる。
【００４２】
本発明を上記引戸のための戸袋に適用する場合には、引戸は１枚でもよく、複数枚でもよい。そして、複数枚の引戸は引き違い式のものでもよく、引き分け式のものでもよく、引き違いと引き分けの複合式のものでもよく、多重引き式等のものでもよい。
【００４３】
また、本発明が適用される戸袋は、戸袋の厚さ方向の両方の外面が外部に露出した外面形成部材で形成されているもの、言い換えると、両外面露出型の戸袋でもよく、一方の外面が壁や柱等の構造物構成部となっていて、他方の外面が外部に露出した外面形成部材で形成されているもの、言い換えると、片外面露出型の戸袋でもよく、両方の外面が壁になっているもの、言い換えると壁収納（壁内臓）型の戸袋になっているものでもよい。
【００４４】
また、本発明が適用される戸袋は、ビル等の建物内に設置される開閉体のためのものでもよく、地下街等の構築物内に設置される開閉体のためのものでもよく、船舶等の交通手段に設置される開閉体のためのもの等でもよい。
【００４５】
また、以上説明した本発明は、蓋を掃除口にスライド可能に配置する場合や、蓋を掃除口にヒンジ等を中心に上下又は左右に回動可能に配置する場合等にも適用することができ、掃除口を蓋で開閉するための構造は任意である。
【発明の効果】
【００４６】
本発明によると、掃除口が蓋で開閉されるものになっていても、戸袋内部に溜まったごみ等を戸袋外部に排出する作業時等のときには、蓋に影響されずに掃除口の大きな開口面積を確保できるようになるという効果を得られる。
【図面の簡単な説明】
【００４７】
【図１】図１は、本発明の一実施形態に係る戸袋の掃除口構造が適用されている上吊り式引戸の装置の全体を示す正面図である。
【図２】図２は、図１のＳ２−Ｓ２線断面図である。
【図３】図３は、図１のＳ３−Ｓ３線断面図である。
【図４】図４は、図３の一部拡大図である。
【図５】図５は、掃除口を形成している部材と掃除口を開閉する蓋とを示す正面図である。
【図６】図６は、図５から蓋を取り外した状態であって、掃除口を形成するそれぞれの部材が予め結合一体化されてユニットとなっていることを示す正面図である。
【図７】図７は、蓋が取り外されたときの掃除口を示す図３と同様の図である。
【図８】図８は、戸袋の内部の掃除作業を行っているときに引戸を開き移動させても戸袋の内部への引戸の侵入を阻止できる引戸侵入阻止手段を備えた実施形態を示す図３と同様の図である。
【図９】図９は、図８の引戸侵入阻止手段が作動した状態を示す図３と同様の図である。
【図１０】図１０は、引戸侵入阻止手段の別実施形態を示す図９と同様の図である。
【図１１】図１１は、戸袋の厚さ方向両側に掃除口が形成されている場合であって、戸袋の厚さ方向両側に構造物躯体である柱が戸袋に接続状態で配置されている場合における掃除口の形成場所に係る実施形態を示す平面図である。
【発明を実施するための形態】
【００４８】
以下に本発明を実施するための形態を図面に基づいて説明する。本実施形態は、例えば、病院内の廊下と病室等のように、建物内の２つの空間の間に設置される出入り口用上吊り式引戸のための引戸装置の戸袋の場合である。
【００４９】
初めに図１〜３によってこの引戸装置の全体構造を説明する。図１において、建物内部に設けられている出入口用の開口部１は、左右に移動する開閉体である引戸２で開閉され、引戸２は、開口部１の上縁部を形成している上枠３の内部のレールから吊り下げられた上吊り式である。開口部１における戸先側の側縁部は戸先側竪額縁４で形成され、開口部１における戸尻側の側縁部は竪枠５で形成され、開口部１における下縁部は床６で形成されている。なお、床６に沓摺りが配置される場合には、開口部１の下端部はこの沓摺りで形成される。
【００５０】
竪枠５の後側は戸袋７になっており、この戸袋７の内部に、後退移動して開口部１を開けたときの引戸２が収納される。戸袋７の後端は戸尻側竪額縁８で形成され、上枠３は戸先側竪額縁４から戸尻側竪額縁８までの長さを有している。戸袋７の下端は、図１のＳ３−Ｓ３線断面図である図３に示されているように、幅木である下枠９で形成され、この下枠９は竪枠５から戸尻側竪額縁８までの長さを有する。
【００５１】
図１のＳ２−Ｓ２線断面図である図２に示されているように、上枠３の内部には、引戸２のための上吊り移動機構が示されている。上枠３の内面には補強部材１０が取り付けられ、この補強部材１０には上枠３とほぼ同じ長さのレール１１が結合され、このレール１１は縦断面Ｌ字状である。上枠３内に挿入されている引戸２の上部には、ローラ１２がローラ保持部材１３に取り付けられて回転自在に支持され、引戸２の移動方向に２個設けられているそれぞれのローラ１２は、レール１１に転動自在に係合している。これにより引戸２はレール１１に吊り下げ支持されているとともに、レール１１に案内されて開閉移動自在になっている。
【００５２】
また、図１で示す床６にはガイドローラ１４が配置され、図２で示すとおり、このガイドローラ１４は引戸２の下向きに開口した下フレーム２Ａ内に挿入され、開口部１を開閉するためのレール１１に沿った引戸２の移動は、引戸２の下端がガイドローラ１４で案内されながら行われる。
【００５３】
上枠３の内部には、図面では示されていないが、引戸２を全閉位置に向かって自動的に閉じ移動させるための自動閉鎖装置と、閉じ移動している引戸２が全閉位置から所定距離の位置に達したときにその移動速度を減速させるための制動装置とが配置されている。自動閉鎖装置は、回転軸に渦巻きばねを巻回連結した渦巻きばね式のものであり、引戸２を図１で示す取手部材１５で開き移動させると、引戸２に紐状部材を介して連結されている回転軸が渦巻きばねに戻しばね力を蓄圧しながら回転することになり、この蓄圧された戻しばね力によって引戸２は自動的に閉じ移動する。また、制動装置はエアシリンダによるものであり、引戸２が全閉位置から所定距離の位置に達すると、このエアシリンダのピストンロッドが引戸２で押されて収縮動を始めることになり、これで圧縮されるシリンダ内のエアのシリンダからの吐出量が逆止弁付きオリフィスで絞られることにより、引戸２の閉じ移動速度は減速される。
【００５４】
なお、上枠３にはカバー１６（図２も参照）で塞がれている左右方向に長い点検口が形成されており、カバー１６を上枠３に止めているビス１７の取り外しでカバー１６を上枠３から取り外すことにより、上記開口部１と同じ又は略同じの左右長さとなっている点検口により、上枠３の内部に収納配置されている上記上吊り移動機構や自動閉鎖装置、制動装置等を点検、整備することができる。
【００５５】
また、図１で示されているとおり、引戸２には、引戸２が全閉位置に達したときに、引戸２をこの全閉位置に施錠することができる施錠装置１８が取り付けられている。引戸２の両面を貫通した状態でこの引戸２に取り付けられたシリンダ錠式のものとなっているこの施錠装置１８は、手で回動操作されることによってロックバー１８Ａを上下動させることができる操作部材１８Ｂを備えており、引戸２の内部に配置されているこのロックバー１８Ａが操作部材１８Ｂの一方の方向への回動操作で上動したときには、ロックバー１８Ａの上端部分が上枠３に形成されている孔に挿入され、これによって引戸２は全閉位置に施錠され、また、操作部材１８Ｂの他方の方向への回動操作でロックバー１８Ａが下動したときには、引戸２の施錠は開錠される。また、施錠装置１８には、操作部材１８Ｂが設けられている面とは反対側の面（図１の裏面側の面）において、キー溝が形成され、このキー溝へのキーの差込み及びキーの両方向への回動操作という特別の操作を行うことにより、ロックバー１８Ａは上下動して引戸２の施錠及び施錠の開錠を行える。
【００５６】
次に、前述した戸袋７の構造について説明する。この戸袋７は、壁２０の内部に収納された壁収納型の戸袋になっている。そして、この戸袋７は、前記竪枠５と戸尻側竪額縁８との間に水平に架設された補強部材２１によって補強されている。このため、戸袋７は、上枠３と竪枠５と戸尻側竪額縁８と下枠９と補強部材２１とが、構造材になって構成されたものとなっている。戸袋７の左右方向の全幅に渡る長さとなっている補強部材２１は、図１で示されているように、上下に間隔をあけて複数設けられているとともに、図３で分かるように、戸袋７の厚さ方向両側に設けられている。戸袋７の厚さ方向両側のうち、図１で示した施錠装置１８が配置されている引戸２の面と同じ側の戸袋７の面には、図１で示されているとおり、合計６個の補強部材２１Ａ〜Ｆが配置されている。
【００５７】
図３の補強部材２１Ｅについて示されているとおり、それぞれの補強部材２１は、戸袋７の外側へ突出形成された上下中間部２２と、この上下中間部２２よりも戸袋７の内側に位置し、上下方向への延出長さを有する上部２３、下部２４と、上下中間部２２と上部２３を連結する水平又は略水平の上連結部２５と、上下中間部２２と下部２４を連結する水平又は略水平の下連結部２６とからなる断面ハット形状となっている。
【００５８】
図３で示されているように、上下の補強部材２１同士の間や補強部材２１と下枠９の間には、内側壁ボード２７がこれらの補強部材２１、下枠９に固定されて配置され、また、これらの内側壁ボード２７や補強部材２１、下枠９の外側には、外側壁ボード２８が補強部材２１、下枠９に固定されて配置されている。また、外側壁ボード２８の表面には、壁クロス等による壁仕上げ材が施工され、これによって内側壁ボード２７と外側壁ボード２８で形成された前記壁２０の表面は仕上げられるとともに、この壁２０の内部に戸袋７が形成され、戸袋７は壁２０に内部に収納された壁収納型となる。
【００５９】
図１で示されているように、戸袋７には、戸袋７の厚さ方向両側のうちの片側に配置された下２個の補強部材２１Ｅと補強部材２１Ｆの間において、掃除口３０が戸袋７の下部の内外を連通した状態で、言い換えると、戸袋７の厚さ方向両側の壁２０の片面下部を連通した状態で形成されている。この掃除口３０が形成されている戸袋７の面は、引戸２の施錠装置１８の操作部材１８Ｂが配置されている面と同じ側の面である。図５は、掃除口３０を形成する部材を示しており、掃除口３０は、上下に間隔をあけて配置された上記２個の補強部材２１Ｅ，２１Ｆと、これらの補強部材２１Ｅ，２１Ｆに結合された四角形状の枠部材３１とで形成され、この枠部材３１は、上部３１Ａと、下部３１Ｂと、左右の側部３１Ｃ，３１Ｄとからなる。補強部材２１Ｅ，２１Ｆは、他の補強部材２１Ａ〜Ｄと同じく、戸袋７の左右の全幅に渡る長さを有しているため、これらの補強部材２１Ｅ，２１Ｆの間の空間Ｓも戸袋７の左右の全幅に渡る長さを有するものとなっている。枠部材３１は、この空間Ｓ内において、戸袋７の左右の略全幅に渡る長さとなっており、この枠部材３１の内側開口部が掃除口３０となっているため、この掃除口３０も戸袋７の左右の略全幅に渡る長さとなっている。
【００６０】
なお、これらの補強部材２１Ｅ，２１Ｆと、掃除口３０の輪郭を形成している枠部材３１とを含む戸袋７用のそれぞれの構成部材は、工場で生産され、そして引戸装置の設置現場に搬送されて組み立てられ、これによって戸袋７及び上記壁２０が完成するが、補強部材２１Ｅ，２１Ｆと枠部材３１は、図６で示されているように、予め工場で結合一体化されてユニットとされ、このユニットが引戸装置の設置現場に搬送されて他の戸袋７用の構成部材と組み合わせられることにより、戸袋７及び壁２０が組立施工される。この戸袋７の組立施工時には、掃除口３０に相当する部分には、前述した内側壁ボード２７や外側壁ボード２８、壁仕上げ材は施工されない。これにより、壁２０の内部に形成された戸袋７には、この戸袋７の内外、言い換えると、壁２０の内外を貫通して形成された掃除口３０が設けられる。
【００６１】
また、補強部材２１Ａ〜Ｆや内側壁ボード２７、外側壁ボード２８等による戸袋７及び壁２０の組立施工後、図１で示されているように、補強部材２１Ａ〜Ｆのうち、上下寸法が最も大きい補強部材２１Ｄの箇所と対応する壁２０の外面には、手摺り２９が取り付けられる。
【００６２】
掃除口３０は、図１や図３、図５で示されている蓋３２で開閉されるものとなっており、すなわち、上記枠部材３１の内側開口部に蓋３２が嵌合されるようになっている。また、掃除口３０よりも少し上下寸法が小さくなっていて掃除口３０と略同じ形状となっているこの蓋３２は、掃除口３０に対して取り外し可能、言い換えると、掃除口３０に対して着脱可能となっている。次に、このように掃除口３０に対して取り外し可能になっている蓋３２について説明する。
【００６３】
図３で分かるように、蓋３２の本体３３は板金の折り曲げ品であり、この本体３３の下辺部３３Ａの戸袋７内側の端部には、立上部３３Ｂが形成されている。この立上部３３Ｂは蓋３２の左右長さの全長に渡って形成されている（図５参照）とともに、立上部３３Ｂにはマグネット３４が取り付けられ、図５で示すように、蓋３２の左右の長さ方向に３個配置されているこのマグネット３４が上記補強部材２１Ｆの上部２３に磁力で吸着することにより、蓋３２の下部は掃除口３０に止着される。このため、マグネット３４は、蓋３２の下部を掃除口３０に止着するための止着手段Ａを構成するものとなっている。
【００６４】
また、図３で示されているように、蓋３２の本体３３の上辺部３３Ｃの戸袋７内側の端部には、上方への突出長さを有する突片部３３Ｄが形成され、図５に示されているように、蓋３２の左右の長さ方向に２個設けられているこの突片部３３Ｄは、図３の一部拡大図である図４に示されているように、突片部３３Ｄごとに枠部材３１の上部３１Ａに形成された孔３５と、突片部３３Ｄごとに前記補強部材２１Ｅの下連結部２６に形成された孔３６とに下側から挿入される。孔３５についての戸袋７の内外方向の寸法は、突片部３３Ｄについての戸袋７の内外方向の厚さ寸法よりも大きいが、孔３６についての戸袋７の内外方向の寸法よりも小さい。それぞれの突片部３３Ｄが、掃除口３０を形成する掃除口形成部材となっている枠部材３１に設けられた孔３５と、この枠部材３１が取り付けられている補強部材２１に設けられた孔３６とに遊合状態で挿入されることにより、蓋３２の上部は掃除口３０に係止されて止着される。
【００６５】
このため、突片部３３Ｄと孔３５，３６とにより、蓋３２の上部を掃除口３０に止着するための係止式止着手段Ｂが構成され、突片部３３Ｄはこの止着手段Ｂの係止部となっており、孔３５，３６は、この突片部３３Ｄが遊合状態で挿入される被係止部となっている。
【００６６】
蓋３２の本体３３の裏面上部には、発泡樹脂等による弾性部材３７が取り付けられ、上記係止式止着手段Ｂの一部を構成するものとなっているこの弾性部材３７は、図５に示されているとおり、それぞれの突片部３３Ｄごとに設けられている。突片部３３Ｄが孔３５，３６に挿入されたときには、弾性部材３７の背面は、図４で示されているように、補強部材２１Ｅの下部２４に当接するため、弾性部材３７は戸袋７の内外方向に圧縮される。このため、圧縮された弾性部材３７の反発弾性力により、突片部３３Ｄは、孔３５における戸袋７の厚さ方向外側の縁部３５Ａに押圧され、この押圧により、蓋３２ががたつくことが防止される。
【００６７】
蓋３２には、この蓋３２を掃除口３０に対して取り付け、取り外すための作業を行うときに用いられる取手部材４０が設けられており、この取手部材４０は、図１及び図５で示されているように、蓋３２の左右の長さ方向に２個配置されている。それぞれの取手部材４０は、図５で示されている取手部材ユニット４１の一部として蓋３２の本体３３に取り付けられ、取手部材４０が構成部材の１つとなっているこのユニット４１の本体３３への取り付けは、取手部材４０が嵌合された縦長の開口部４２Ａを有するユニット４１の基板４２が、図４で示すように、本体３３に補強板４３と共に上下のビス４４で止着されることによって行われている。
【００６８】
板材の折り曲げ等で製造されている取手部材４０は、取手部材４０の左右両端部に形成されたフランジ部４０Ａを有しており、これらのフランジ部４０Ａに、基板４２に設けられている水平又は略水平の中心軸４５が貫通している。このため、取手部材４０は、中心軸４５を中心に上下に回動自在となった回動型の取手部材となっている。取手部材４０には、戸袋７の内側方向へ半円形となって突出した板状の湾曲部４０Ｂが設けられており、この湾曲部４０Ｂの下部には、下方へ延出したストッパ部４０Ｃが設けられている。取手部材４０は、中心軸４５の位置よりも戸袋７の内側へ突出した湾曲部４０Ｂを備えているため、取手部材４０の重心位置は中心軸４５の位置よりも戸袋７の内側にある。このため、取手部材４０には、図４において、中心軸４５を中心に自重によって左側へ回動しようとする回動力が常時作用しており、この回動は、ストッパ部４０Ｃがユニット４１の基板４２の裏面に当接することによって停止する。このため、通常時の取手部材４０は鉛直姿勢となっている。
【００６９】
このように鉛直姿勢となっている取手部材４０の中心軸４５よりも下側を指等で戸袋７の内側へ押す操作を行うと、図４の２点線鎖線４０’で示されているように、取手部材４０は中心軸４５を中心に図４中右側へ回動し、これにより、取手部材４０の上部は蓋３２から戸袋７の外側へ露出する。これにより、それぞれの取手部材４０を摘むことにより、蓋３２を掃除口３０から取り外す作業を行えることになり、また、蓋３２を掃除口３０に嵌め込んでこの蓋３２を前記マグネット式止着手段Ａと係止式止着手段Ｂで掃除口３０に取り付ける作業も行えることになる。
【００７０】
なお、それぞれの取手部材４０を摘むことによって蓋３２を掃除口３０から取り外す作業は、先ず、蓋３２の下部を戸袋７の外側へ引っ張ることにより、マグネット３４を、このマグネット３４が吸着していた前記補強部材２１Ｆの上部２３から分離させ、このようにしてマグネット３４を掃除口３０の外側へ移動させてから、斜めとなった蓋３２の全体を下側へ移動させることによって前記突片部３３Ｄを孔３５，３６から引き抜くことにより行える。また、蓋３２をマグネット式止着手段Ａと係止式止着手段Ｂで掃除口３０に取り付ける作業は、以上とは逆作業によって行える。
【００７１】
また、掃除口３０に蓋３２が取り付けられたとき、言い換えると、掃除口３０が蓋３２で閉じられたとき、この取手部材４０を含む蓋３２の位置は、図３で示されているように、戸袋７の外面７Ａから戸袋７の内側へ距離Ｃだけずれた位置となっている。
【００７２】
前述した上吊り式引戸２を有する引戸装置が施工現場で組立施工され、引戸２の開閉移動が繰り返されて引戸装置が長期間使用されると、戸袋７の内部にはごみや塵埃等が溜まる。このようなごみ等を戸袋７の内部から排出する掃除作業を行う時には、引戸２が前述した自動閉鎖装置によって全閉位置へ移動しているのを確認した後、蓋３２に設けられているそれぞれの取手部材４０の上部を蓋３２の外側へ露出させるための上記操作を行い、これによって上部が露出した取手部材４０を摘むことにより、蓋３２を掃除口３０から取り外す。この状態が図７で示されている。この後、掃除機等を用いて又は用いないで掃除口３０から戸袋７の内部の掃除作業を行い、この掃除作業が終了した後、蓋３２を掃除口３０に取り付けることにより、掃除口３０を蓋３２で塞ぐ。
【００７３】
以上説明した本実施形態によると、戸袋７に設けられている掃除口３０は蓋３２で開閉されるものとなっているため、通常時において、戸袋７の外部のごみ等が掃除口３０を通って戸袋７内部に侵入するのを、掃除口３０を塞いでいる蓋３２で防止できるとともに、蓋３２は掃除口３０に対して取り外し可能となっているため、戸袋７の内部に溜まったごみ等を戸袋７の外部に排出する掃除作業のときには、蓋３２を掃除口３０から取り外すことにより、図７で示されているとおり、蓋３２に影響されずに掃除口３０の本来の大きな開口面積を確保できるようになり、これにより、掃除作業を容易に行える。
【００７４】
また、掃除作業後に掃除口３０を蓋３２で閉じたときには、蓋３２の位置は、図３で示されているように、戸袋７の外面７Ａから戸袋７の内側へずれた位置となっているため、戸袋７の近く、本実施形態では戸袋７が前記壁２０の内部に収納形成されているため、この壁２０の近くを歩行等する者にとって蓋３２が障害とならず、壁２０で形成されている廊下や室内空間の使い勝手が良くなる。
【００７５】
また、取手部材４０は中心軸４５を中心とする回動式のものであり、通常時の取手部材４０は自重によって鉛直姿勢となっているため、取手部材４０は蓋３２から突出しておらず、この点でも上記廊下や室内空間の使い勝手が良くなる。
【００７６】
さらに、蓋３２は、掃除口３０に止着手段Ａと止着手段Ｂとで取り付けられ、蓋３２の上部を掃除口３０に取り付ける止着手段Ｂは、蓋３２の突片部３３Ｄが掃除口３０の孔３５，３６に挿入されることによって係止される係止式の止着手段であるため、掃除口３０への蓋３２の止着をより確実に行える。
【００７７】
また、突片部３３Ｄが孔３５，３６に遊合状態で挿入されるようになっていても、蓋３２には、孔３５，３６への突片部３３Ｄの挿入が行われたときに、補強部材２１Ｅの下部２４で圧縮される弾性部材３７が取り付けられ、この弾性部材３７の圧縮による反発弾性力によって突片部３３Ｄは孔３５の縁部３５Ａに押圧されるため、蓋３２はがたつくことなく掃除口３０に取り付けられることになり、蓋３２を掃除口３０に安定させて配置することができる。
【００７８】
さらに、掃除口３０は、戸袋７の強度を補強するための補強部材２１Ｅと２１Ｆとの間の空間Ｓを利用して形成されているため、掃除口３０を戸袋７に形成するために、戸袋７の輪郭を形成する部材や戸袋７の強度を確保するための補強部材に、掃除口用の開口部を孔明け加工によって形成する必要がなくなり、このため、それだけ戸袋７用部材の製造作業を容易に行えるようになるとともに、戸袋７用部材の本来の強度を確保しながら掃除口３０付きの戸袋７を形成することができる。
【００７９】
また、補強部材２１Ｅと２１Ｆは戸袋７の左右の全幅に渡る長さとなっているため、補強部材２１Ｅと２１Ｆとの間の空間Ｓを利用して形成されている掃除口３０も、戸袋７の左右の略全幅に渡る大きな長さのものとすることができ、これにより、戸袋７の全体に渡って充分掃除作業を行うことができる。もちろん、掃除口３０を戸袋７の左右の全幅に渡る大きな長さのものとしてもよい。
【００８０】
さらに、本実施形態では、補強部材２１Ｅと２１Ｆは、引戸装置の戸袋７が組立て施工される現場へ搬入される前の工場において、掃除口３０の輪郭を形成する枠部材３１によって予め結合一体化されており、補強部材２１Ｅ，２１Ｆと枠部材３１はユニットの状態となって上記現場へ搬入されるため、この搬入作業や戸袋７の組立施工作業等をユニットの状態で行えることになり、このため、各種作業を容易に行える。
【００８１】
図８及び図９は、戸袋７の内部の掃除作業を行っているときに、図１で示した取手部材１５で引戸２を開き移動させても、戸袋７の内部への引戸２の侵入を阻止できる引戸侵入阻止手段５０を備えた実施形態を示す。この引戸侵入阻止手段５０は、前記補強部材２１Ｆにブラケット５１で取り付けられた水平又は略水平の中心軸５２と、この中心軸５２を中心に下端が上下に回動自在となっている回動部材５３と、この回動部材５３の上端部分を前記補強部材２１Ｅの下部２４の背面に分離可能に止着するための止着具５４とを含んで構成され、この止着具５４は、例えば、マグネットやベルクロ等である。止着具５４をマグネットとする場合には、このマグネットは回動部材５３に取り付けてもよく、補強部材２１Ｅの下部２４に取り付けてもよい。
【００８２】
この引戸侵入阻止手段５０は、図５で説明したように左右方向である蓋３２の長さ方向に２個設けられる取手部材４０のうち、引戸２で開閉される図１で示した出入口用の開口部１側の取手部材４０と対応する位置、言い換えると、戸袋７の内部に引戸２を出入りさせるための戸袋７の出入口に近い戸袋７の内部位置に配置される。また、上端部分が止着具５４で止着されて鉛直姿勢となっているときにおける回動部材５３についての戸袋７の内外方向（戸袋７の厚さ方向）の位置は、戸袋７の内部に侵入する引戸２と干渉しない位置であるとともに、取手部材４０を中心軸４５を中心に回動させたとき、この取手部材４０のストッパ部４０Ｃと干渉する位置である。
【００８３】
戸袋７の内部に溜まっているごみ等を戸袋７の外部に排出するための掃除作業を行うときにおいて、蓋３２を掃除口３０から取り外すために、それぞれの取手部材４０を前述したように中心軸４５を中心に回動させ、これらの取手部材４０の上部を蓋３２の外側へ露出させる操作を行うと、図９で示されているとおり、それぞれ回動した取手部材４０のストッパ部４０Ｃは戸袋７の内側へ突出した状態となる。これにより、２個の取手部材４０のうち、上記出入口用の開口部１側に配置されている取手部材４０のストッパ部４０Ｃは回動部材５３に当接し、これによって回動部材５３はこのストッパ部４０Ｃからの押圧力で押され、止着具５４による止着が解除されることにより、この回動部材５３は下端の中心軸５２を中心に倒れ回動し、この回動は、回動部材５３の上端が、蓋３２が設けられている側とは反対側の戸袋７の内面を形成している前記内側壁ボード２７に当接することによって停止する。
【００８４】
これにより、戸袋７に内部における引戸２の移動経路が、戸袋７の入口部分において回動部材５３で塞がれることになり、このため、掃除口３０を通して戸袋７の内部の掃除作業を行っているときに、図１の取手部材１５で引戸２を開き移動させても、引戸２が戸袋７の内部へ侵入するのを阻止することができる。
【００８５】
また、この実施形態によると、回動部材５３を中心軸５２を中心に倒れ回動させて戸袋７の内部における引戸２の移動経路を戸袋７の入口部分で回動部材５３によって塞ぐことは、すなわち、引戸侵入阻止手段５０が作動することは、蓋３２を掃除口３０から取り外すために、取手部材４０の上部を回動露出させる操作を行ったときに自動的に実現できるため、掃除口３０を通して戸袋７の内部の掃除作業を行うときに、戸袋７の内部への引戸２の侵入阻止をより確実に期待できることになる。
【００８６】
なお、掃除口３０を通して戸袋７の内部を掃除した後は、蓋３２で掃除口３０を塞ぐ前に、掃除口３０から挿入した手で回動部材５３を元の鉛直姿勢に戻すことにより、回動部材５３の上端部分を止着具５４で補強部材２１Ｅの下部２４に止着し、この後、蓋３２で掃除口３０を塞ぐ作業を行えばよい。
【００８７】
また、図１で説明したように、引戸２に、この引戸２を全閉位置に施錠するための施錠装置１８が設けられている場合には、前述したように、この施錠装置１８の操作部材１８Ｂを手で回動操作してロックバー１８Ａの上端部分を上枠３に形成されている孔に挿入し、これによって引戸２を全閉位置に施錠することにより、戸袋７の内部への引戸２の侵入を阻止し、この状態で掃除口３０を通して戸袋７の内部を掃除する作業を行うことができる。
【００８８】
このように施錠装置１８で引戸２を全閉位置に施錠して、掃除口３０から戸袋７の内部を掃除する作業を行えるようにする場合においては、図１で示したように、この施錠装置１８の手で回動操作される操作部材１８Ｂを、掃除口３０が形成されている戸袋７の面と同じ側となっている引戸２の面に配置し、これによってこの面の側から操作部材１８Ｂを回動操作できるようにすることにより、掃除作業に際して、施錠装置１８によって引戸２を全閉位置に容易に施錠することができ、あるいは、施錠装置１８によって引戸２が全閉位置に施錠されているか否かを容易に確認してから、掃除口３０を通して戸袋７の内部を掃除する作業を行うことができる。
【００８９】
図１０は、別実施形態に係る引戸侵入阻止手段５０’を示す。この引戸侵入阻止手段５０’が適用される場合における蓋３２の取手部材４０’の上下寸法は、図８及び図９の実施形態における取手部材４０の上下寸法よりも小さく、このため、蓋３２を掃除口３０から取り外すために取手部材４０’を中心軸４５を中心に回動させても、この取手部材４０’のストッパ部４０Ｃは回動部材５３まで届かない。
【００９０】
しかし、この実施形態では、中心軸４５を中心に回動させた取手部材４０’を摘んで蓋３２を掃除口３０から取り外すと、これによって開口した掃除口３０の内部に回動部材５３が存在するため、この掃除口３０から手で引戸侵入阻止手段５０’を作動させる操作が可能な状態となる。すなわち、掃除口３０から手を戸袋７の内部に差し入れ、この手によって回動部材５３を押すことにより、図８及び図９の実施形態と同じく、止着具５４による止着が解除されて回動部材５３は下端の中心軸５２を中心に倒れ回動することになる。これにより、戸袋７の内部の掃除作業を行っているときに、引戸２が戸袋７の内部に侵入することを阻止できる。
【００９１】
また、掃除作業が終了したときには、掃除口３０から差し入れた手によって回動部材５３を元の鉛直姿勢に戻すことにより、回動部材５３の上端部分を止着具５４で補強部材２１Ｅの下部２４に止着し、この後、蓋３２で掃除口３０を塞ぐ作業を行えばよい。
【００９２】
図１１は、戸袋７の厚さ方向両側に、取り外し可能な蓋３２が配置される掃除口３０を設ける場合であって、戸袋７の厚さ方向両側のうちの少なくとも一方に、図示例では両方に、構造物躯体である柱６０が戸袋７に接続状態で、言い換えると、戸袋７が内部に収納形成されている壁２０に柱６０が接続状態で配置されている場合の実施形態を示す平面図である。
【００９３】
このような場合には、戸袋７の厚さ方向両側の掃除口３０は、柱６０を避けた位置であって戸袋７の左右の幅方向にずれた位置に設ける。これによると、戸袋７の厚さ方向両側に設けられた掃除口３０の重複量を少なくしながら又はなくしながら、戸袋７の左右方向の長い領域に渡って戸袋７の内部からごみ等を排出する作業を行えるようになる。
【産業上の利用可能性】
【００９４】
本発明は、引戸等の開閉体が収納される戸袋に、蓋で開閉される掃除口を設ける場合に利用することができる。
【符号の説明】
【００９５】
２  開閉体である引戸
７  戸袋
２０  壁
２１  補強部材
２２  上下中間部
２３  上部
２４  下部
２５  上連結部
２６  下連結部
２７  内側壁ボード
２８  外側壁ボード
３０  掃除口
３１  掃除口の輪郭を形成する枠部材
３２  蓋
３３Ｄ  係止部である突片部
３５，３６  被係止部である孔
３７  弾性部材
４０，４０’  取手部材
５０，５０’  開閉体侵入阻止手段である引戸侵入阻止手段
６０  構造物躯体である柱
Ｓ  掃除口を設けるための補強部材同士の間の空間
Ａ  マグネット式止着手段
Ｂ  係止式止着手段
【図１】
2010159630.tif 000003
【図２】
2010159630.tif 000004
【図３】
2010159630.tif 000005
【図４】
2010159630.tif 000006
【図５】
2010159630.tif 000007
【図６】
2010159630.tif 000008
【図７】
2010159630.tif 000009
【図８】
2010159630.tif 000010
【図９】
2010159630.tif 000011
【図１０】
2010159630.tif 000012
【図１１】
2010159630.tif 000013